【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
白色光を出射する第１の光源部と、
前記白色光の波長帯域に含まれる少なくとも１つの所定の波長帯域のレーザ光を出射する第２の光源部と、
前記白色光と前記レーザ光とを合波する合波部材と、
を備え、前記合波部材は、前記白色光及び前記レーザ光のうちランダム偏光である光の光路上に少なくとも配置され入射光の偏光方向を所定の方向に変換する偏光変換素子と、前記偏光変換素子を通過した光が入射する偏光ビームスプリッターと、を有し、
前記偏光ビームスプリッターは、前記偏光変換素子によって偏光方向が互いに直交した状態となった前記白色光及び前記レーザ光を合波する、
照明装置。
【請求項２】
前記第１の光源部から出射された白色光を略平行光とする第１のコリメート光学系と、
前記第２の光源部から出射されたレーザ光を拡散することにより２次光源を生成する拡散部材と、
前記拡散部材から出射されたレーザ光を略平行光とする第２のコリメート光学系と、
を更に備え、
前記合波部材は、前記第１のコリメート光学系によって略平行光に変換された白色光と、前記第２のコリメート光学系によって略平行光に変換されたレーザ光と、を合波する、
請求項１に記載の照明装置。
【請求項３】
前記第２の光源部から出射されたレーザ光を光ファイバに結合させる結合光学系と、
前記光ファイバから出射されたレーザ光を略平行光とする第３のコリメート光学系と、
を更に備え、
前記拡散部材は、前記第３のコリメート光学系から出射されたレーザ光を拡散することにより２次光源を生成する、
請求項２に記載の照明装置。
【請求項４】
前記合波部材によって合波された光をライトガイドの入射端に結像するコンデンサ光学系、を更に備え、
前記コンデンサ光学系は、前記ライトガイドの入射端に結像される前記２次光源の像の大きさが、前記ライトガイドの入射端の直径と略同一になるように、前記２次光源からの光を前記ライトガイドの入射端に結像する、
請求項２又は３に記載の照明装置。
【請求項５】
前記第２の光源部は複数のレーザ光源を有し、
前記複数のレーザ光源は、赤色レーザ光を出射する赤色レーザ光源、緑色レーザ光を出射する緑色レーザ光源、及び青色レーザ光を出射する青色レーザ光源、を少なくとも含む、
請求項１〜４のいずれか１項に記載の照明装置。
【請求項６】
前記第２の光源部は複数のレーザ光源を有し、
前記複数のレーザ光源の駆動がそれぞれ独立に制御されることにより、前記合波部材によって合波された光の色温度が調整される、
請求項１〜５のいずれか１項に記載の照明装置。
【請求項７】
前記第２の光源部を構成するレーザ光源のうちの少なくとも１つは、観察部位の蛍光観察に用いられる励起光に対応する波長帯域のレーザ光を出射する、
請求項１〜６のいずれか１項に記載の照明装置。
【請求項８】
前記第２の光源部から出射されるレーザ光とは異なる波長帯域の光を出射する第３の光源部、を更に備え、
前記第１の光源部から出射された白色光と前記第３の光源部から出射された光とが合波された光が前記合波部材に入射し、
前記合波部材によって、前記第１の光源部から出射された白色光と前記第３の光源部から出射された光とが合波された光と、前記第２の光源部から出射されるレーザ光と、が更に合波される、
請求項１〜７のいずれか１項に記載の照明装置。
【請求項９】
前記第１の光源部及び前記第３の光源部はＬＥＤによって構成される、
請求項８に記載の照明装置。
【請求項１０】
第１の光源部から白色光を出射することと、
第２の光源部から、前記白色光の波長帯域に含まれる少なくとも１つの所定の波長帯域のレーザ光を出射することと、
合波部材によって、前記白色光と前記レーザ光とを合波することと、
を含み、
前記合波部材は、前記白色光及び前記レーザ光のうちランダム偏光である光の光路上に少なくとも配置され入射光の偏光方向を所定の方向に変換する偏光変換素子と、前記偏光変換素子を通過した光が入射する偏光ビームスプリッターと、を有し、
前記偏光ビームスプリッターは、前記偏光変換素子によって偏光方向が互いに直交した状態となった前記白色光及び前記レーザ光を合波する、
照明方法。
【請求項１１】
患者の術野に照射される白色光及び励起光の少なくともいずれかを出力する照明装置、を備え、
前記照明装置は、
白色光を出射する第１の光源部と、
前記白色光の波長帯域に含まれる前記励起光に対応する波長帯域のレーザ光を少なくとも出射する第２の光源部と、
前記白色光と前記レーザ光とを合波する合波部材と、
を備え、
前記合波部材は、前記白色光及び前記レーザ光のうちランダム偏光である光の光路上に少なくとも配置され入射光の偏光方向を所定の方向に変換する偏光変換素子と、前記偏光変換素子を通過した光が入射する偏光ビームスプリッターと、を有し、
前記偏光ビームスプリッターは、前記偏光変換素子によって偏光方向が互いに直交した状態となった前記白色光及び前記レーザ光を合波する、
観察装置。
【請求項１２】
前記観察装置は、患者の体腔内に挿入され、前記照明装置からの出力光が内部を導光されるとともに、前記体腔内の術野に対して前記出力光を照射する鏡筒、を更に備える、内視鏡装置である、
請求項１１に記載の観察装置。
【請求項１３】
前記観察装置は、前記照明装置からの出力光が、投影レンズを介して外部に向かって出射され、術野に対して照射される、顕微鏡装置である、
請求項１１に記載の観察装置。
【請求項１４】
前記励起光よりも長波長帯域であって前記励起光による蛍光の波長帯域を含む光に基づいて第１の画像を生成する長波長帯域画像生成部と、
前記蛍光よりも短波長帯域であって前記励起光の波長帯域を含む光に基づいて第２の画像を生成する短波長帯域画像生成部と、
を更に備える、
請求項１１〜１３のいずれか１項に記載の観察装置。
【請求項１５】
白色光による術野の通常観察像が得られる通常観察モードにおいては、
前記第１の光源部及び前記第２の光源部がともに駆動され、
前記第１の画像と前記第２の画像とが合成されることにより、前記通常観察像が得られる、
請求項１４に記載の観察装置。
【請求項１６】
前記通常観察モードでは、前記第１の画像のＲＧＢ値と前記第２の画像のＲＧＢ値とが足し合わされることにより前記通常観察像が生成される、
請求項１５に記載の観察装置。
【請求項１７】
励起光による術野の蛍光観察像が得られる特殊観察モードにおいては、
前記第１の光源部及び前記第２の光源部のうち前記第２の光源部のみが駆動され、
前記第２の画像が前記蛍光観察像として得られる、
請求項１４〜１６のいずれか１項に記載の観察装置。
【請求項１８】
白色光による術野の通常観察像と、励起光による術野の蛍光観察像と、が同時に得られる通常／特殊観察モードにおいては、
前記第１の光源部及び前記第２の光源部がともに駆動され、
前記第１の画像と前記第２の画像とが合成されることにより、前記通常観察像と前記蛍光観察像とが重ね合わされた画像が得られる、
請求項１４〜１７のいずれか１項に記載の観察装置。
【請求項１９】
前記通常／特殊観察モードでは、前記第１の画像のＲ値と前記第２の画像のＧＢ値とが足し合わされることにより、前記通常観察像と前記蛍光観察像とが重ね合わされた画像が生成される、
請求項１８に記載の観察装置。
【請求項２０】
前記短波長帯域画像生成部は、前記励起光に対応する波長帯域の成分が減衰又は除去された光に基づいて前記第２の画像を生成し、
前記通常／特殊観察モードでは、前記第１の画像のＲＧＢ値と前記第２の画像のＲＧＢ値とが足し合わされることにより、前記通常観察像と前記蛍光観察像とが重ね合わされた画像が生成される、
請求項１８に記載の観察装置。